(57)【要約】【課題】転写媒体上の画像を読み取った読み取り画像を表示する際に、読み取り画像を適正に表示することを可能とする。【解決手段】画像処理装置は、転写媒体上の画像を画像読取部で読み取った読み取り画像を取得し、前記読み取り画像の表示を可能にする制御部を有し、前記制御部は、前記読み取り画像の表示に際し、前記画像読取部における読み取り特性情報に基づいて、前記読み取り画像を補正し、補正した読み取り画像の表示を可能にすることを特徴とする。【選択図】図３
2018207456.tif 000002
【特許請求の範囲】
【請求項１】
転写媒体上の画像を画像読取部で読み取った読み取り画像を取得し、前記読み取り画像の表示を可能にする制御部を有し、
前記制御部は、前記読み取り画像の表示に際し、前記画像読取部における読み取り特性情報に基づいて、前記読み取り画像を補正し、補正した読み取り画像の表示を可能にすることを特徴とする表示処理装置。
【請求項２】
前記読み取り特性情報が予め収集されて記憶部に格納されていることを特徴とする請求項１記載の表示処理装置。
【請求項３】
前記読み取り特性情報は、読み取りが行われる転写媒体の画像歪み特性を有することを特徴とする請求項１または２に記載の表示処理装置。
【請求項４】
前記読み取り特性情報は、転写媒体先端からの歪み位置、歪みが現れる搬送方向周期、歪み量、片寄り量のいずれか一つ以上の情報を有することを特徴とする請求項３記載の表示処理装置。
【請求項５】
前記画像歪み特性は、読み取り画像における歪みの位置および歪みの量に関する情報を含むことを特徴とする請求項４記載の表示処理装置。
【請求項６】
前記転写媒体の転写媒体情報には、転写媒体の紙種、坪量およびサイズの１または２以上を含むことを特徴とする請求項３または４に記載の表示処理装置。
【請求項７】
表示部を有し、
前記制御部は読み取り画像を前記表示部に表示可能とすることを特徴とする請求項１〜６のいずれか１項に記載の表示処理装置。
【請求項８】
前記制御部は、前記読み取り特性情報に基づいて、読み取り画像の補正を行う転写媒体の領域または／および前記補正における補正量を決定することを特徴とする請求項１〜７のいずれか１項に記載の表示処理装置。
【請求項９】
前記制御部は、前記読み取り特性情報において歪みが存在しない領域では前記補正を行わないことを特徴とする請求項８に記載の表示処理装置。
【請求項１０】
前記制御部は、前記読み取り特性情報における画像歪み特性の歪み量以下の補正量で、前記補正を行うことを特徴とする請求項８または９に記載の表示処理装置。
【請求項１１】
前記制御部は、前記読み取り画像において、主走査方向のライン毎に転写媒体のエッジを検出し、検出したエッジの位置によって転写媒体の副走査方向に沿ったエッジ位置を決定し、副走査方向に沿った前記エッジ位置と、前記主走査方向のライン毎のエッジの位置との誤差を算出して読み取り特性情報を得ることを特徴とする請求項１〜１０のいずれか１項に記載の表示処理装置。
【請求項１２】
前記制御部は、検出したエッジの位置のうち、検出回数が最も多いエッジ位置を副走査方向に沿ったエッジ位置とすることを特徴とする請求項１１記載の表示処理装置。
【請求項１３】
前記制御部は、少なくとも副走査方向に沿って形成された線を有する転写媒体の読み取りを行い、前記線の副走査方向の誤差を算出して読み取り特性情報を得ることを特徴とする請求項１〜１０のいずれか１項に記載の表示処理装置。
【請求項１４】
前記制御部は、前記読み取り特性情報に基づいて、読み取り画像を主走査方向のライン毎に前記誤差分に基づいて画像をシフトするように補正を行うことを特徴とする請求項１１〜１３のいずれか１項に記載の表示処理装置。
【請求項１５】
前記制御部は、画像読取部における読み取り特性情報の収集を行う収集モードを有することを特徴とする請求項１〜１４のいずれか１項に記載の表示処理装置。
【請求項１６】
前記制御部は、前記収集モードでは、転写媒体を画像読取部で読み取った読取結果を取得し、前記読取結果に基づいて転写媒体の歪みを判定し、前記歪みによって前記読み取り特性情報を求めることを特徴とする請求項１５記載の表示処理装置。
【請求項１７】
前記制御部は、前記読み取り画像を拡大表示する際に、前記読み取り画像の補正を行うことを特徴とする請求項１〜１６のいずれか１項に記載の表示処理装置。
【請求項１８】
前記制御部は、補正を行う前の読み取り画像と、補正を行った後の読み取り画像を同時または切り替えて表示可能とすることを特徴とする請求項１〜１７のいずれか１項に記載の表示処理装置。
【請求項１９】
転写媒体に画像を形成する画像形成装置または画像形成装置を管理する管理装置に備えられていることを特徴とする請求項１〜１８のいずれか１項に記載の表示処理装置。
【請求項２０】
転写媒体上の画像を画像読取部で読み取った読み取り画像を取得し、前記読み取り画像の表示を可能にする制御部で実行されるプログラムであって、
前記画像読取部における読み取り特性情報を取得するステップと、
前記読み取り画像の表示に際し、前記読み取り特性情報に基づいて、前記読み取り画像を補正し補正した読み取り画像の表示を可能にするステップと、を有することを特徴とするプログラム。
【発明の詳細な説明】
【技術分野】
【０００１】
この発明は、転写媒体上の画像を読み取った読み取り画像を表示可能とする表示処理装置およびプログラムに関する。
【背景技術】
【０００２】
用紙に画像を形成する画像形成装置などでは、用紙上の画像を画像読取装置などで読み取り、読み取った画像をエビデンスとして保存してプレビュー表示を行うことで、出力物の良否を確認する機能が知られている。
しかし、画像読取装置で画像の読み取りを行う際、用紙の搬送時の影響によって画像を読み取る際に画像が歪んだ状態で読み取られてしまう場合がある。この場合、取得した読取画像の生データをプレビュー表示すると、実際の出力物には無い歪みが表示されてしまう。
【０００３】
これに対し、用紙に画像を形成する画像形成装置において、用紙の蛇行等による影響を考慮して画像形成動作を補正する技術が提案されている。
例えば、特許文献１では、記録ヘッドによる画像の記録時においてシートの位置に関する情報を検出し、シートの位置に関する情報に基づいて、出力物の読取画像からシートの搬送動作に起因する記録濃度ムラを除去し、記録ヘッドの吐出口の吐き出し特性の差に起因する吐出し特性ムラを補正することが記載されている。
【先行技術文献】
【特許文献】
【０００４】
【特許文献１】特開２０１７−３０２８６号公報
【発明の概要】
【発明が解決しようとする課題】
【０００５】
画像読取装置で読み取った読み取り画像を補正する場合、用紙の紙エッジの検知によって歪みなどを除去することができる。しかし、読み取られた画像に対し、無条件で紙エッジなどを利用して歪みの補正を行うと、用紙自体が歪んでいたり、印刷時に用紙が歪んでしまったりした場合など、本当に用紙に歪みがあった場合でも画像に対し過補正を行ってしまい、実物とは異なるプレビュー表示が行われるという問題がある。
【０００６】
本発明は、上記課題を背景としてなされたものであり、転写媒体上の画像を読み取った読み取り画像を表示する際に、画像の歪みを適正に除いた画像を表示することが可能な表示処理装置およびプログラムを提供することを目的とする。
【課題を解決するための手段】
【０００７】
すなわち、本発明の表示処理装置のうち、第１の形態は、転写媒体上の画像を画像読取部で読み取った読み取り画像を取得し、前記読み取り画像の表示を可能にする制御部を有し、
前記制御部は、前記読み取り画像の表示に際し、前記画像読取部における読み取り特性情報に基づいて、前記読み取り画像を補正し、補正した読み取り画像の表示を可能にすることを特徴とする。
【０００８】
他の形態の表示処理装置の発明は、他の形態の発明において、前記読み取り特性情報が予め収集されて記憶部に格納されていることを特徴とする。
【０００９】
他の形態の表示処理装置の発明は、他の形態の発明において、前記読み取り特性情報は、読み取りが行われる転写媒体の画像歪み特性を有することを特徴とする。
【００１０】
他の形態の表示処理装置の発明は、他の形態の発明において、前記読み取り特性情報は、転写媒体先端からの歪み位置、歪みが現れる搬送方向周期、歪み量、片寄り量のいずれか一つ以上の情報を有することを特徴とする。
【００１１】
他の形態の表示処理装置の発明は、他の形態の発明において、前記画像歪み特性は、読み取り画像における歪みの位置および歪みの量に関する情報を含むことを特徴とする。
【００１２】
他の形態の表示処理装置の発明は、他の形態の発明において、前記転写媒体の転写媒体情報には、転写媒体の紙種、坪量およびサイズの１または２以上を含むことを特徴とする。
【００１３】
他の形態の表示処理装置の発明は、他の形態の発明において、表示部を有し、前記制御部は読み取り画像を前記表示部に表示可能とすることを特徴とする。
【００１４】
他の形態の表示処理装置の発明は、他の形態の発明において、前記制御部は、前記読み取り特性情報に基づいて、読み取り画像の補正を行う転写媒体の領域または／および前記補正における補正量を決定することを特徴とする。
【００１５】
他の形態の表示処理装置の発明は、他の形態の発明において、前記制御部は、前記読み取り特性情報において歪みが存在しない領域では前記補正を行わないことを特徴とする。
【００１６】
他の形態の表示処理装置の発明は、他の形態の発明において、前記制御部は、前記読み取り特性情報における画像歪み特性の歪み量以下の補正量で、前記補正を行うことを特徴とする。
【００１７】
他の形態の表示処理装置の発明は、他の形態の発明において、前記制御部は、前記読み取り画像において、主走査方向のライン毎に転写媒体のエッジを検出し、検出したエッジの位置によって転写媒体の副走査方向に沿ったエッジ位置を決定し、副走査方向に沿った前記エッジ位置と、前記主走査方向のライン毎のエッジの位置との誤差を算出して読み取り特性情報を得ることを特徴とする。
【００１８】
他の形態の表示処理装置の発明は、他の形態の発明において、前記制御部は、検出したエッジの位置のうち、検出回数が最も多いエッジ位置を副走査方向に沿ったエッジ位置とすることを特徴とする。
【００１９】
他の形態の表示処理装置の発明は、他の形態の発明において、前記制御部は、少なくとも副走査方向に沿って形成された線を有する転写媒体の読み取りを行い、前記線の副走査方向の誤差を算出して読み取り特性情報を得ることを特徴とする。
【００２０】
他の形態の表示処理装置の発明は、他の形態の発明において、前記制御部は、前記読み取り特性情報に基づいて、読み取り画像を主走査方向のライン毎に前記誤差分に基づいて画像をシフトするように補正を行うことを特徴とする。
【００２１】
他の形態の表示処理装置の発明は、他の形態の発明において、前記制御部は、画像読取部における読み取り特性情報の収集を行う収集モードを有することを特徴とする。
【００２２】
他の形態の表示処理装置の発明は、他の形態の発明において、前記制御部は、前記収集モードでは、転写媒体を画像読取部で読み取った読取結果を取得し、前記読取結果に基づいて転写媒体の歪みを判定し、前記歪みによって前記読み取り特性情報を求めることを特徴とする。
【００２３】
他の形態の表示処理装置の発明は、他の形態の発明において、前記制御部は、前記読み取り画像を拡大表示する際に、前記読み取り画像の補正を行うことを特徴とする。
【００２４】
他の形態の表示処理装置の発明は、他の形態の発明において、前記制御部は、補正を行う前の読み取り画像と、補正を行った後の読み取り画像を同時または切り替えて表示可能とすることを特徴とする。
【００２５】
他の形態の表示処理装置の発明は、他の形態の発明において、転写媒体に画像を形成する画像形成装置または画像形成装置を管理する管理装置に備えられていることを特徴とする。
【００２６】
本発明のプログラムのうち、第１の形態は、転写媒体上の画像を画像読取部で読み取った読み取り画像を取得し、前記読み取り画像の表示を可能にする制御部で実行されるプログラムであって、
前記画像読取部における読み取り特性情報を取得するステップと、
前記読み取り画像の表示に際し、前記読み取り特性情報に基づいて、前記読み取り画像を補正し補正した読み取り画像の表示を可能にするステップと、を有することを特徴とする。
【発明の効果】
【００２７】
本発明によれば、画像読取部の読み取り特性を考慮した補正を行って読み取り画像の表示を行うことを可能にするため、読み取り画像を適正に表示することが可能となる。
【図面の簡単な説明】
【００２８】
【図１】本発明の表示処理装置の一実施形態である画像形成装置の機械的構成の概略を示す図である。
【図２】同じく、機能ブロック図である。
【図３】同じく、読取画像をプレビュー表示する際の手順を示すフローチャートである。
【図４】同じく、プレビュー表示画面の例を示す図である。
【図５】同じく、プレビュー表示の設定画面を示す図である。
【図６】同じく、読取画像の一部を拡大してプレビュー表示する手順を示す図である。
【図７】同じく、プレビュー拡大表示画面およびプレビュー表示画面の例を示す図である。
【図８】同じく、読取画像における紙エッジ位置の補正手順を示すフローチャートである。
【図９】同じく、出力物の読取画像の例を示す図である。
【図１０】同じく、読取画像におけるエッジ位置の誤差を示す図である。
【図１１】同じく、読取画像におけるエッジ位置の補正動作を示す図である。
【図１２】同じく、補正後の読取画像を示す図である。
【図１３】同じく、画像読取部の読み取り特性情報収集モードの動作を示すフローチャートである。
【図１４】同じく、読み取り特性情報収集モードにおける出力設定画面を示す図である。
【図１５】同じく、読み取り特性情報収集モードで使用されるチャートを示す図である。
【図１６】同じく、チャートの読取画像を示す図である。
【図１７】同じく、チャートの読取画像から算出される読み取り特性情報を示す図である。
【図１８】同じく、画像読取部の読み取り特性を用いてプレビュー画像のエッジ位置の補正を行う動作手順を示すフローチャートである。
【図１９】同じく、読み取り画像における補正対象範囲を示す図である。
【図２０】同じく、読み取り特性情報を用いた、エッジ位置の補正動作を示す図である。
【発明を実施するための形態】
【００２９】
以下、本発明の一実施形態について説明する。
図１は、本発明の表示処理装置の一実施形態である画像形成装置１の機械的構成の概略を示す図である。
画像形成装置１の装置本体１０は、筐体の上部に、自動原稿給送部１３を備えている。自動原稿給送部１３は、原稿載置台にセットされた原稿を自動で給送するものであり、自動原稿給送部１３で給送される原稿は、図２で示されるスキャナー部１３０によって読み取られる。なお、原稿の読み取りは図示しないプラテンガラス上で行うことも可能である。
【００３０】
装置本体１０は、筐体の上部に、操作表示部１４０を備えている。操作表示部１４０は、情報の表示および操作入力を受け付けるタッチパネル式のＬＣＤ１４１とテンキー等の操作キー群とを備えている。操作表示部１４０は、本発明の表示部に相当する。なお、本発明の表示部はＬＣＤに限定されず、所望のディスプレイを用いることが可能である。操作表示部１４０では、画像読取部２５で読み取った読取画像のプレビュー表示を行うことができる。
【００３１】
装置本体１０の下部側には、給紙部１２を備えている。給紙部１２は複数の給紙段からなり、各給紙段には用紙が収納されている。給紙部１２の用紙は、搬送経路１１へ給紙可能となっている。
用紙は、本発明の転写媒体に相当する。なお、本発明としては、転写媒体の材質は特に限定されず、例えば布やプラスチックからなる転写媒体を用いることもできる。また、ロール紙等の連続転写媒体を用いてもよい。
装置本体１０は、搬送経路１１を有している。搬送経路１１の周囲には搬送ローラー等が設けられており、搬送路１１は、給紙部１２から供給される用紙を搬送することができる。
【００３２】
装置本体１０では、搬送経路１１の途中に、用紙に画像を形成する画像形成部１５が設けられている。
画像形成部１５は、各色用の感光体１５Ａを有しており、感光体１５Ａの周囲には、図示しない帯電器、ＬＤ、現像部、クリーニング部等が備えられている。なお、図では便宜上一つの感光体にのみ符号を付している。また、画像形成部１５は、感光体１５Ａが接触可能な中間転写ベルト１５Ｂを有しており、さらに、中間転写ベルト１５Ｂと用紙とが接触する位置に、二次転写部１５Ｃを有している。二次転写部１５Ｃよりも搬送方向下流側にある搬送路１１に、定着器１５Ｄが設けられている。これら構成によって画像形成部１５が構成されている。
用紙に対して画像形成を行う場合は、帯電器によって感光体１５Ａの表面が一様に帯電された後、画像データに基づいて、ＬＤにより感光体１５Ａにレーザ光が照射されて感光体１５Ａの表面に潜像が形成される。感光体１５Ａ上に形成された潜像は、現像器により現像されてトナー像となり、感光体１５Ａ上のトナー像は中間転写ベルト１５Ｂに転写される。その後、中間転写ベルト１５Ｂに転写されたトナー像は二次転写部１５Ｃによって用紙に転写され、用紙上のトナー像は、定着器１５Ｄによって加熱されて用紙に定着される。
【００３３】
搬送経路１１には、定着器１５Ｄの下流側に、用紙の上面の画像を読み取る画像読取部２５が設けられている。
画像読取部２５は、ＣＣＤセンサーやＣＭＯＳセンサー等の光学センサーからなるラインセンサーであり、搬送される用紙の全面の画像を読み取ることができる。画像読取部２５では、用紙が存在しない領域では黒色の画像が取得される。なお、画像読取部の数や種類はこれに限定されず、例えば、用紙の下面を読み取るための画像読取部をさらに有していてもよい。
【００３４】
搬送路１１の終端には排出部１６が接続されており、画像読取部２５を通過した用紙は排出部１６へ排出される。
【００３５】
また、装置本体１０は、画像形成装置１の全体を制御する制御部１００を有している。
制御部１００は、ＣＰＵ、および、ＣＰＵで実行されるプログラム、パラメータ等を格納する記憶部などによって構成される。記憶部には、画像読取部２５で読み取った画像データを保存する画像データ保存部や、後述する読み取り特性情報を保存する特性情報保存部として機能することができる。
なお、制御部１００は装置本体外に設けられるものであってもよい。
【００３６】
なお、本実施形態では、装置本体１０のみにより画像形成装置１が構成されているとしたが、本発明の画像形成装置の種類や数は特に限定されず、他の装置がさらに接続されているものであってもよい。例えば、装置本体１０の前段に給紙装置が備えられていてもよく、装置本体１０の後段に後処理装置が備えられていてもよい。
【００３７】
なお、本実施形態では、用紙の画像を読み取る画像読取部２５は装置本体１０の内部に設けられているが、本発明としては画像読取部２５の位置は特に限定されず、画像形成部１５よりも搬送方向下流側の位置であればよい。例えば、装置本体１０の後段に画像読取装置を接続し、画像読取装置内に画像読取部２５を設けるようにしてもよく、また、装置本体１０と画像読取装置とを機械的に接続せずに、画像読取装置で取得した画像データを装置本体１０へ送信可能とするものであってもよい。この場合、画像読取装置は、装置本体１０とともに画像形成装置に含まれるものとしてもよく、また、画像読取装置は、画像形成装置外の装置とするものであってもよい。
また、画像読取部２５の代わりに、自動原稿給送部１３を用いて印刷された画像の読み取りを行ってもよい。その場合、自動原稿給送部１３およびスキャナー部１３０は、本発明の画像読取部に相当する。
【００３８】
次に、画像形成装置１の機能ブロックを図２に基づいて説明する。
画像形成装置１は、主要な構成として、制御ブロック１１０とスキャナー部１３０と操作表示部１４０とプリンター部１５０とを有するデジタルコピア本体と、画像形成装置外部との間で入出力される画像データの処理を行う画像処理部（プリント＆スキャナーコントローラー）１６０と、を備えている。この実施形態では画像処理部（プリント＆スキャナーコントローラー）１６０には、ネットワーク３を通じて外部装置４が接続されている。
【００３９】
制御ブロック１１０は、画像処理部（プリント＆スキャナーコントローラー）１６０に接続されたＰＣＩバス１１２を有している。ＰＣＩバス１１２にはＤＲＡＭ制御ＩＣ１１１が接続されており、ＤＲＡＭ制御ＩＣ１１１には、ＤＲＡＭからなる画像メモリー（ＤＲＡＭ）１２０が接続されている。
画像メモリー（ＤＲＡＭ）１２０は、圧縮された画像データを格納する圧縮メモリー１２１と、画像形成用の非圧縮のデータを格納するページメモリー１２２とによって構成される。
圧縮メモリー１２１は、ジョブ管理情報や原稿などの圧縮画像データを格納するためのメモリーであり、ページメモリー１２２は、画像形成前にプリント対象の非圧縮画像データを一時的に格納するためのメモリーである。
【００４０】
ＰＣＩバス１１２には、さらに、ＨＤＤ１２７が接続されている。
ＨＤＤ１２７は、ジョブデータ等を保存する。ＨＤＤ１２７には、複数のジョブの保存が可能であり、各ジョブには、画像データと印刷条件とが含まれている。ジョブの印刷条件には、印刷する用紙の情報（種類、坪量、サイズ等）、原稿画像のサイズ、フェイスアップ／フェイスダウン設定情報、章分け設定、断裁等の後処理の実行要否などの適宜の情報が含まれている。印刷条件には、ジョブ全体またはページ単位の条件を有するものであってもよい。
【００４１】
制御ブロック１１０には、制御ＣＰＵ１１３が含まれており、制御ＣＰＵ１１３にはＤＲＡＭ制御ＩＣ１１１が接続されている。制御ＣＰＵ１１３には、ＲＯＭ１１４と不揮発メモリー１１５とが接続されている。不揮発メモリー１１５には、制御ＣＰＵ１１３で実行されるプログラムや画像形成装置における設定データ、画像形成条件を含むプロセス制御パラメータなどが格納されている。さらに、不揮発メモリー１１５には、画像読取部の読み取り特性情報、動作パラメータが保存されている。さらに、読み取り特性情報の取得に用いるチャート画像のデータが保存されている。
【００４２】
なお、これらの内容の一部または全部を、ＲＯＭ１１４やＨＤＤ１２７、ＲＡＭなどに格納するものであってもよい。不揮発メモリー１１５やＲＯＭ１１４、ＨＤＤ１２７、ＲＡＭなどは本発明の記憶部に相当する。
ＲＯＭ１１４には、制御ＣＰＵ１１３で所定の動作を実行させるためのプログラムが読み出し可能に格納されている。このプログラムでは、読取画像データにおける紙エッジ位置の検出動作、読取画像データの補正動作、画像読取部の読み取り特性情報モードの動作、読み取り特性情報に基づく画像データの補正、プレビュー画像の表示等を実行させることができる。プログラムの一部は不揮発メモリーに格納されているものであってもよい。なお、プログラムは、外部から提供されて不揮発メモリー１１５やＨＤＤ１２７などに格納されるものであってもよい。なお、本発明のプログラムは、持ち運び可能な記憶部などに格納されて流通、移動するものであってもよい。
【００４３】
制御ＣＰＵ１１３は、ＲＯＭ１１４や不揮発メモリー１１５に格納された不揮発データを読み取ることが可能であり、また、所望のデータを不揮発データとして不揮発メモリー１１５に書き込むことが可能である。制御ＣＰＵ１１３は、上記設定データなどに従って画像形成装置１の各部を動作制御する。
制御ＣＰＵ１１３は、画像形成装置１の全体を制御するものであり、ＲＯＭ１１４に格納されたプログラムや、不揮発メモリー１１５などとともに本発明の制御部１００を構成する。
制御ＣＰＵ１１３は、画像データの取得や画像出力のための制御のほか、画像の読み取りを行う制御、読み取った画像のプレビュー表示等を行う。
【００４４】
また、制御ＣＰＵ１１３には、ＩＯ１２８が接続されている。ＩＯ１２８は画像形成装置１内の各種センサーの信号が取得可能であり、画像読取部２５における画像の読み取り結果を、ＩＯ１２８を介して制御ＣＰＵ１１３で取得することができる。
【００４５】
制御ＣＰＵ１１３には、スキャナー部１３０のスキャナー制御部１３２がシリアル通信可能に接続されている。
スキャナー部１３０は、用紙上の画像を光学的に読み取るＣＣＤ１３１と、スキャナー部全体の制御を行うスキャナー制御部１３２とを有している。スキャナー制御部１３２は制御ＣＰＵ１１３の指示に基づいてスキャナー部１３０を制御し、ＣＣＤ１３１によって自動原稿給送装置１３や図示しないプラテンガラスにセットされた原稿の読み取りを行うことができる。スキャナー制御部１３２は、ＣＰＵ、記憶部、ＣＰＵで動作するプログラム等によって構成される。
【００４６】
ＣＣＤ１３１は、読み取った画像データの処理を行う読み取り処理部１１６に接続され、読み取り処理部１１６は、画像データの圧縮処理を行う圧縮ＩＣ１１８に接続され、圧縮ＩＣ１１８は前記したＤＲＡＭ制御ＩＣ１１１に接続されている。読み取り処理部は、ＣＣＤ１３１から入力されたアナログ画像信号に、アナログ信号処理、Ａ／Ｄ（Ａｎａｌｏｇ  ｔｏ  Ｄｉｇｉｔａｌ）変換処理、シェーディング処理等の各種処理を施し、デジタル画像データを生成する。圧縮ＩＣ１１８では画像データの圧縮処理が行われる。ＣＣＤ１３１で読み取りを行って取得された画像データは、読み取り処理部１１６に送られて所定の処理が行われ、その後、圧縮ＩＣ１１８に送られて圧縮処理が行われる。圧縮後の画像データは、ＤＲＡＭ制御ＩＣ１１１を介して圧縮メモリー１２１に格納される。
【００４７】
制御ＣＰＵ１１３には、さらに、操作表示部１４０の操作部制御部１４２がシリアル通信可能に接続されている。
操作表示部１４０は、情報を表示するＬＣＤ１４１と、操作表示部１４０の全体を制御する操作部制御部１４２とを有している。操作部制御部１４２は制御ＣＰＵ１１３の指示を受けて、ＬＣＤ１４１における表示や操作入力を制御する。操作部制御部１４２は、ＣＰＵやＣＰＵで動作するプログラムによって構成される。
【００４８】
操作表示部１４０では、画像形成装置１の各部に対する各種の設定が可能であり、その設定内容に基づいて、制御ＣＰＵ１１３によって画像形成、用紙の搬送、画像の読取や後処理の制御が実行される。さらに、操作表示部１４０では、画像形成装置１における印刷設定や動作制御条件などの機械設定入力、出力などに関する設定や、各給紙トレイの用紙情報の設定（サイズ、紙種）や、出力モード設定（例えば通常コピーモード、確認コピーモード）、ジョブのリアルタイム調整のオンオフを含めた設定などが可能になっている。  また、操作表示部１４０は、設定内容の表示、通知の表示、画像読取部２５で読み取った読取画像のプレビュー画像など、所望の情報等の表示が可能になっている。したがって、制御ＣＰＵ１１３は、本発明の制御部として機能し、表示処理装置として一部機能を果たしている。
【００４９】
また、ＤＲＡＭ制御ＩＣ１１１には、圧縮された画像データを伸長する伸長ＩＣ１２５が接続されており、伸長ＩＣ１２５には書き込み処理部１２６が接続されている。書き込み処理部１２６は、プリンター部１５０のＬＤ１５１Ａ（レーザダイオード）に接続されている。書き込み処理部１２６は画像データの処理を行い、ＬＤ１５１Ａの動作に用いるための書き込みデータを生成する。
プリンター部１５０は、プリンター部１５０の全体（給紙、画像形成、排紙、後処理など）を制御するプリンター制御部１５２を備えており、プリンター制御部１５２は前記した制御ＣＰＵ１１３に接続されている。プリンター制御部１５２は制御ＣＰＵ１１３の制御指令に従って動作し、プリンター部１５０を制御する。プリンター部１５０は、画像形成部１５や給紙トレイ、用紙を搬送する機構などによって構成される。
【００５０】
ＰＣＩバス１１２には、画像処理部（プリント＆スキャナーコントローラー）１６０のＤＲＡＭ制御ＩＣ１６１が接続されている。画像処理部（プリント＆スキャナーコントローラー）１６０は、画像形成装置をネットワークプリンターやネットワークスキャナーとして使用する場合に、ネットワーク３に接続される外部装置４などから画像データ等を画像形成装置１で受信したり、スキャナー部１３０で取得した画像データを外部装置４などに送信したりするものである。
【００５１】
画像処理部（プリント＆スキャナーコントローラー）１６０では、ＤＲＡＭ制御ＩＣ１６１に、ＤＲＡＭなどで構成される画像メモリー（ＤＲＡＭ）１６２が接続されている。また、画像処理部（プリント＆スキャナーコントローラー）１６０では、共通バスに、ＤＲＡＭ制御ＩＣ１６１と、コントローラー制御ＣＰＵ１６３と、ＬＡＮインターフェース１６５と、ＨＤＤ１６６と、が接続されている。コントローラー制御ＣＰＵ１６３は画像処理部（プリント＆スキャナーコントローラー）１６０全体の制御を行う。ＬＡＮインターフェース１６５は、ネットワーク３に接続されている。
【００５２】
ネットワーク３には、外部装置４が接続されている。外部装置４は画像形成装置１と通信を行うことができる。なお、ネットワーク３に他のネットワーク、例えばＷＡＮが接続されて外部装置４に接続されるものであってもよい。
外部装置４は、画像形成装置１から情報を受けて表示処理を行う表示処理装置として動作するものとしてもよく、さらに画像形成装置を管理する機能を有するものであってもよい。
【００５３】
外部装置４は、外部装置４の制御を行う外部装置制御部４００と、情報の表示や操作入力が可能な外部表示部４１０とを有している。外部装置制御部４００は、ＣＰＵ、および、ＣＰＵ上で実行されるプログラム、動作パラメータを格納した記憶部などにより構成される。外部装置制御部４００で、画像読取部２５で読み取りを行った画像データを取得し、読み取り画像のプレビュー表示の制御を行う場合、外部装置制御部４００で実行されるプログラムは、本発明のプログラムに相当し、外部装置制御部４００は、本発明の制御部に相当する。
なお、本発明のプログラムは、持ち運び可能な記憶部などに格納されて流通、移動するものであってもよく、また、ネットワークなどを通して外部装置制御部４００の記憶部に格納されたものであってもよい。
【００５４】
次に、画像形成装置１の基本動作について説明する。
まず、画像形成装置１において画像データを蓄積する手順について説明する。
第１に、画像形成装置１において、スキャナー部１３０で画像を読み取り画像データを生成する場合について説明する。
制御ＣＰＵ１１３は、操作表示部１４０による操作に基づいてスキャナー部１３０への指令を発行する。スキャナー部１３０では、制御ＣＰＵ１１３から指令を受けたスキャナー制御部１３２がＣＣＤ１３１の動作を制御し、ＣＣＤ１３１により原稿の画像を光学的に読み取る。なお、原稿の読み取りは、自動原稿給送部１３によって行ってもよく、また、プラテンガラス上に原稿を置いて行ってもよい。
【００５５】
ＣＣＤ１３１で読み取られた画像データは、読み取り処理部１１６でデータ処理がなされ、データ処理された画像データは、圧縮ＩＣ１１８において所定の方法によって圧縮される。その後、圧縮された画像データは、ＤＲＡＭ制御ＩＣ１１１を介して圧縮メモリー１２１に格納される。また、ＨＤＤ１２７に画像データを格納する場合は、圧縮メモリー１２１に格納されている画像データを、ＤＲＡＭ制御ＩＣ１１１を介して、ＨＤＤ１２７に格納する。
【００５６】
次に、画像データを外部から取得する場合について説明する。
画像データを外部から取得する場合、画像データは、ネットワーク３を介して画像形成装置１に入力される。画像データとしては、例えば外部装置４などのアプリケーションプログラム等により生成されたものや他の画像形成装置により生成されたものが挙げられる。該データは、ネットワーク３、ＬＡＮインターフェース１６５を介して画像処理部（プリント＆スキャナーコントローラー）１６０で受信され、ＤＲＡＭ制御ＩＣ１６１によって画像メモリー（ＤＲＡＭ）１６２やＨＤＤ１６６に一旦格納される。画像メモリー（ＤＲＡＭ）１６２やＨＤＤ１６６に一旦格納されたデータは、ＰＣＩバス１１２を介してＤＲＡＭ制御ＩＣ１１１に転送され、その後、ページメモリー１２２に転送されて、ページメモリー１２２において一旦格納される。ページメモリー１２２に格納されたデータは、ＤＲＡＭ制御ＩＣ１１１を介して圧縮ＩＣ１１８に順次送られて圧縮処理され、圧縮処理された画像データはＤＲＡＭ制御ＩＣ１１１を介して圧縮メモリー１２１に格納される。なお、圧縮処理されたデータをＨＤＤ１２７に格納する場合には、圧縮メモリー１２１に格納されたデータを、ＤＲＡＭ制御ＩＣ１１１を介してＨＤＤ１２７に格納する。
【００５７】
次に、画像形成装置１において画像を出力する場合について説明する。
画像形成装置１で印刷を行う場合、まず、圧縮メモリー１２１に格納されている画像データを、ＤＲＡＭ制御ＩＣ１１１を介して伸長ＩＣ１２５に送出し、伸長ＩＣ１２５において画像データを伸長する。ＨＤＤ１２７に格納された画像データを画像出力する場合は、ＤＲＡＭ制御ＩＣ１１１を介して画像データを一旦圧縮メモリー１２１に格納し、その後、ＤＲＡＭ制御ＩＣ１１１を介して伸長ＩＣ１２５に送出し、伸長ＩＣ１２５においてデータを伸長する。
【００５８】
次に、伸長されたデータを、ＤＲＡＭ制御ＩＣ１１１を介して書き込み処理部１２６へ送出し、書き込み処理部１２６において書き込みデータを生成し、書き込みデータをプリンター部１５０のＬＤ１５１Ａへ送出し、ＬＤ１５１Ａによって感光体１５Ａに書き込みを行う。
また、プリンター部１５０では、制御ＣＰＵ１１３の指令を受けたプリンター制御部１５２によって、搬送路１１、給紙部１２、画像形成部１５などの各部の制御が行われる。これにより、プリンター部１５０において、画像形成、用紙への転写、定着などが順次行われて印刷出力が行われる。
【００５９】
画像データとしては、不揮発メモリー１１５やＨＤＤ１２７などの記憶部に予め格納されたものを用いることができる。例えば、調整用画像である画像パッチや画像マークなどの画像を記憶部から読み出して、用紙に画像形成することができる。また、後述する読み取り特性情報収集モードにおけるチャート画像の読み出しも可能である。
印刷された画像は、画像読取部２５において読み取りを行い、読取画像を取得することができる。取得された読取画像は制御ＣＰＵ１１３へ送信され、プレビュー表示や画像の良否判定（ヤレ判定）等に用いられる。
【００６０】
画像が形成された用紙は、搬送路１１を通して搬送され、必要に応じて画像読取部２５によって画像が読み取られる。なお、画像読取部を用紙の上下面を読めるように搬送路の上限に設けてもよく、また、画像読取部を挟んで画像反転部を設けて用紙の両面の画像読み取りを行えるようにしてもよい、画像読取部２５によって読み取られた読み取り画像はＩＯ１２８を介して制御ＣＰＵ１１３に送信される。
制御ＣＰＵ１１３では、読み取った画像を出力物のエビデンスとして保存し、操作表示部１４０にプレビュー表示することが可能である。
【００６１】
本実施形態では、画像読取部で読み取った画像のプレビュー表示を行う際に、画像読取部の読み取り特性情報に基づいてプレビュー表示される画像の補正の内容を決定して補正を行う。これにより、用紙の搬送の影響等を考慮した補正を行うことが可能となり、プレビュー表示における画像を実際の出力物と同等のものとすることができる。すなわち、この実施形態の画像形成装置は、本発明の表示処理装置としての機能を果たしている。
【００６２】
まず、プレビュー画像の補正を行う動作の手順について図３のフローチャートに基づいて説明する。なお、以下の手順は制御部１００または外部制御部４００の制御によって実行される。
ジョブの出力が開始されると、画像形成装置は指示された印刷データの印字を行う（ステップｓ１）。その後、印字された出力物を画像読取部で読み取り、画像データ保存部（記憶部）に保存する（ステップｓ２）。画像データ保存部としては、不揮発メモリー１１５、ＨＤＤ１２７等を使用することができる。
【００６３】
画像データの保存後、画面表示部へのプレビュー表示指示を行う（ステップｓ３）。プレビュー表示指示は、画像の読み取り後の自動で行ってもよく、操作表示部１４０への操作入力に基づいて行ってもよい。この実施形態では、操作表示部が画面表示部に相当する。
但し、本発明としては、画面表示部が画像形成装置に備えられている操作表示部に限定されるものではなく、画像形成装置外の画面表示部に表示することができ、例えば携帯端末や管理装置などにおいて表示をするようにしてもよい。
【００６４】
プレビュー表示を行う際に、補正データを使用するか判定する（ステップｓ４）。
補正を行うかは、設定によって補正の有無が設定されているものであってもよく、ユーザの操作によって選択するものであってもよい。また、プレビューを拡大表示をする際に、補正を行うように自動的に設定するものであってもよい。
【００６５】
補正データを使用する場合（ステップｓ４、Ｙｅｓ）、画像データ保存部より画像データを読み出して補正を実施し（ステップｓ５）、補正されたプレビュー画像を表示する（ステップｓ７）。補正データを使用しない場合（ステップｓ４、Ｎｏ）、画像データ保存部より画像データを読み出し（ステップｓ６）、プレビュー画像を表示する（ステップｓ７）。
【００６６】
図４は、プレビュー表示画面の例を示している。
図４の左側に位置する表示画面１４００では、中央にプレビュー画像１４０１が表示されており、プレビュー画像１４０１の下方側位置には、「補正画像に切り替え」釦１４０２が表示されている。さらに、「補正画像に切り替え」釦１４０２の下方側の位置には、前ページ釦１４０３、次ページ釦１４０４、戻る釦１４０５が表示されている。
「補正画像に切り替え」釦１４０２は、プレビュー画像を補正した画像に切り替える釦であり、前ページ釦１４０３は、プレビュー表示される画像のページを前ページに切り替え、次ページ釦１４０４は、プレビュー表示される画像のページを次ページに切り替える。戻る釦１４０５を押下するとプレビュー表示が終了する。
【００６７】
図４の例では、補正前のプレビュー画像１４０１において歪みが生じている。そこで、「補正画像に切り替え」釦１４０２を押下することで、図４の右図の表示画面１４１０に遷移し、歪みが補正されたプレビュー画像１４１１を表示することができる。
なお、表示画面１４１０では、プレビュー画像１４１１の下方側の位置に設けられた「元画像に切り替え」釦１４１２を押下することで、補正がされていない画像を表示するプレビュー表示画面１４００へ戻ることができ、前ページ釦１４１３は、プレビュー表示される画像のページを前ページに切り替え、次ページ釦１４１４は、プレビュー表示される画像のページを次ページに切り替える。戻る釦１４１５を押下するとプレビュー表示が終了する。
なお、上記の例では、補正前の画像と補正後の画像とを切り替えて表示するものとしたが、これらを同時に表示するようにしてもよい。また、補正前の画像と補正後の画像とはそれぞれ保存しておき、適宜読み出しをするようにしてもよく、また、補正前の画像に対し、逐次補正を行って補正後の画像を表示するようにしてもよい。
【００６８】
なお、図４の例では、補正前の画像と補正後の画像の表示をページ毎に切り替えるものとしたが、これらの表示のいずれを行うかを事前に設定するものとしてもよい。
図５は、プレビュー表示の設定画面１４２０を示している。
設定画面１４２０には、「する」釦１４２１と「しない釦」１４２２が並列して押下可能に表示されており、プレビュー表示の際に補正データを使用するかを事前に設定することができる。設定画面１４２０では、「する」釦１４２１を押下すると、プレビュー表示の際に補正後の画像が表示され、「しない」釦１４２２を押下すると、プレビュー表示の際に補正前の画像が表示される。
これにより、プレビュー表示動作を開始する前に、予め補正データを使用するかを設定しておくことができる。
【００６９】
次に、プレビュー画像の拡大表示を行う場合の手順について図６のフローチャートに基づいて説明する。なお、以下の手順は制御部１００または外部制御部４００の制御によって実行される。
まず、画像形成装置は指示された印刷データの印字を行い（ステップｓ１１）、印字された出力物を画像読取部で読み取り、読み取った画像のデータを画像データ保存部（記憶部）に保存する（ステップｓ１２）。画像データ保存部としては、不揮発メモリー１１５、ＨＤＤ１２７等を使用することができる。
【００７０】
その後、画面表示部へのプレビュー表示指示を行い（ステップｓ１３）、プレビュー画像を表示し（ステップｓ１４）、プレビュー画像の拡大表示を指示する（ステップｓ１５）。次に、拡大表示に補正した画像データを使用するかを判定する（ステップｓ１６）。
補正を行うかは、設定によって補正の有無が設定されているものであってもよく、ユーザの操作によって選択するものであってもよい。また、プレビューを拡大表示をする際に、補正を行うように自動的に設定するものであってもよい。
補正した画像データを使用する場合（ステップｓ１６、Ｙｅｓ）、画像データ保存部より画像データを読み出して補正を実施し（ステップｓ１７）、プレビュー画像の拡大表示を行う（ステップｓ１９）。一方、補正した画像データを使用しない場合（ステップｓ１６、Ｎｏ）、画像データ保存部より画像データの読み出しを行い（ステップｓ１８）、プレビュー画像を拡大表示し（ステップ１９）。ステップ１９を終えたら手順を終了する。
【００７１】
図７は、プレビュー表示画面の例を示す図である。
図７の左上に位置するプレビュー拡大表示画面１４３０は、補正前の画像のプレビュー拡大表示を行う画面であり、右上に位置するプレビュー拡大表示画面１４４０は、補正した画像のプレビュー拡大表示を行う画面であり、下側に位置するプレビュー表示画面１４５０は、拡大表示を行わない場合のプレビュー画面である。
【００７２】
プレビュー拡大表示画面１４３０には、画面の中央部に、プレビュー画像１４３１と、拡大表示画像１４３２とが並列して表示されている。プレビュー画像１４３１は拡大前のプレビュー画像が表示されており、拡大表示画像１４３２には、プレビュー画像１４３１で選択された領域Ａの拡大表示が行われている。なお、領域Ａは、プレビュー画像１４３１上において移動可能となっている。プレビュー拡大表示画面１４３０画面の下部には、「補正画像に切り替え」釦１４３３と、戻る釦１４３４とが表示されている。「補正画像に切り替え」釦１４３３は、拡大表示画像に表示される画像の有無を切り替える釦であり、戻る釦１４３４は、プレビュー画像の拡大表示を終了する釦である。
【００７３】
図７の例では、プレビュー拡大表示画面１４３０の拡大表示画像１４３２において、画像に歪みが生じている。「補正画像に切り替え」釦１４３３を押下することで、画像データに対して補正を行い、補正後の拡大表示画像１４４２を表示させることができる。
プレビュー拡大表示画面１４４０は、補正後のプレビュー画像の拡大表示を行う画面であり、画面の中央部に、プレビュー画像１４４１と、拡大表示画像１４４２とが表示されている。図に示すように、拡大表示画像１４４２は補正後の画像であり、歪みが補正されたものとなっている。
ここでは、「元画像に切り替え」釦１４４３を押下すると、プレビュー拡大表示画面１４３０に遷移して、補正前の元画像が拡大表示される。
なお、戻る釦１４３４、１４４４を押下すると、プレビュー画像の拡大表示を終了して、プレビュー表示画面１４５０に遷移する。
プレビュー表示画面１４５０は、中央にプレビュー画像１４５１が表示されており、プレビュー画像１４５１の下方側の位置に、前ページの表示を行う前ページ釦１４５２、次ページの表示を行う次ページ釦１４５３、拡大表示を行う拡大釦１４５４、プレビュー表示を終了する戻る釦１４５５が表示されている。
拡大釦１４５４が押下されると、プレビュー拡大表示画面１４３０またはプレビュー拡大表示画面１４４０へ遷移し、拡大表示画面を行うことができる。
【００７４】
次に、歪みの補正方法について説明する。
読み取り画像における歪みの補正は、読み取り画像における用紙の紙エッジの位置を広範囲の領域で算出し、紙エッジ位置を主走査方向の各ライン間で比較して誤差を算出した後に、算出された誤差の分画像をシフトすることにより実施される。
【００７５】
図８は、読み取り画像の補正を行う動作手順を示すフローチャートである。なお、以下の動作は、制御部１００または外部制御部４００の制御によって実行される。また、以後の説明では、ラインは、画像読取部の主走査方向のラインを指すものとする。
まず、読み取り画像データの１ライン目を読み取り、黒から白に変化する画素数を検知して保存する（ステップｓ２１）。黒から白に変化する画素数は、変化点の情報として保存される。その後、次のラインを読み取り、黒から白に変化する画素数を検知して保存し（ステップｓ２２）、読み取ったラインが最終ラインであるかを判定する（ステップｓ２３）。読み取ったラインが最終ラインでない場合（ステップｓ２３、Ｎｏ）、ステップｓ２２に戻り、次のラインを読み取り、黒から白に変わる画素数を検知して保存する。
読み取ったラインが最終ラインである場合（ステップｓ２３、Ｙｅｓ）、全てのラインにおける黒から白へ変化する変化点情報のうち、最も多くのラインで検出された変化点の画像数を紙エッジ位置とする（ステップｓ２４）。なお、いずれの地点を紙エッジ位置とするかは特定のものに限定されるものではなく、例えば連続した変化点を紙エッジ位置とするなどしてもよい。上記手順により読み取り特性情報が得られる。
【００７６】
次に、読み取り特性情報に基づいて、１ライン目の変化点情報と紙エッジ画素数とを比較し（ステップｓ２５）、変化点情報と紙エッジ画素数とが一致するか判定する（ステップｓ２６）。一致していない場合（ステップｓ２６、Ｎｏ）、紙エッジ画素数からの誤差を算出し、誤差の画素数分、画像データをシフトする（ステップｓ２７）。ステップｓ２７の後、および、ステップｓ２６において、変化点情報と紙エッジ情報とが一致すると判定された場合（ステップｓ２６、Ｙｅｓ）、比較対象のラインが最終ラインである判定する（ステップｓ２８）。最終ラインでない場合（ステップｓ２８、Ｎｏ）、次ラインにおいて黒から白への変化点の画素数と紙エッジ画素数との比較を行い（ステップｓ２９）、ステップｓ２６に戻る。一方、比較を行ったラインが最終ラインである場合（ステップｓ２８、Ｙｅｓ）、手順を終了する。
【００７７】
例として、図９に示す読取画像に対して補正を行う場合を説明する。
図９は、画像読取部で読み取られた読取画像ＩＭ１を示している。読取画像ＩＭ１は、用紙Ｐ１の読み取りを行って取得した画像データである。なお、紙エッジＥは後述する紙エッジ位置を示しており、用紙Ｐ１の外側は黒色背景板の色になっている。
この画像データの各ラインに対して、黒から白に変化する点を検知し、変化点情報として記録する。保存された変化点情報の例を表１に示す。
【００７８】
【表１】
2018207456.tif 000003
【００７９】
次に、表１のデータから、変化点の画素数のうち、最も多くのラインで検知された画素数を抽出し、この画像データの紙エッジ画素数と決定する。紙エッジ画素数は、紙エッジの位置を示す情報として使用される。
表１の例では、紙エッジ画素数は５と決定される。
【００８０】
紙エッジ画素数が決定すると、ライン毎に、黒から白へと変化する変化点情報の画素数と紙エッジ画素数とを比較し、両者が一致するかを判定する。
表１の例では、ライン１〜９９７においては、各ラインの変化点情報（５画素）と紙エッジ画素数（５画素）とが一致しているが、ライン９９８〜１０００の変化点情報は、ライン９９８は１５画素、ライン９９９は２０画素、ライン１０００は２２画素となっており、いずれも紙エッジ画素数（５画素）と一致していない。そこで、ライン９９８〜１０００において、変化点情報の画素数と紙エッジ画素数との誤差を算出し、紙エッジ画素数と変化点情報とが一致するように画像をシフトして画像の補正を行う。
【００８１】
図１０および図１１は、画像データの補正動作を示す図である。
表１の例では、補正対象ラインにおける変化点情報は、ライン９９８では１５画素、ライン９９９では２０画素、ライン１０００では２２画素である。したがって、各ラインにおける変化点情報の画素数と紙エッジ画素数（５画素）との誤差は、ライン９９８では１０画素、ライン９９９は１５画素、ライン１０００は１７画素となる（図１０に図示）。そこで、ライン９９８、ライン９９９、およびライン１０００において、算出された誤差分で画像データをシフトする（図１１に図示）。これにより、読取画像の歪みを補正することができる。
図１２は、補正後の画像を示す図である。図１１では、図９の読取画像ＩＭ１において存在していた歪みが補正されている。
上記動作によれば、用紙の紙エッジ位置に基づいて、読み取り画像の歪みを補正することが可能となる。
【００８２】
次に、画像データの補正で使用される読み取り特性情報の取得方法の例について、図１３〜図１７に基づいて説明する。
画像読取部の読み取り特性情報は、読み取り特性情報収集モードにおいて取得することが可能である。なお、読み取り情特情報の収集は、機械の出荷前に事前に行っておいてもよく、ユーザーが適宜時期に行ってもよい。
【００８３】
図１３は、読み取り特性情報の取得手順を示すフローチャートである。
まず、読み取り特性情報収集モードを起動し（ステップｓ３１）、読み込みを行うチャートの出力情報を設定する（ステップｓ３２）。チャートの出力情報としては、紙種、坪量、紙長などが挙げられる。なお、読み取り特性情報収集モードの起動は、起動をするための釦を押下可能に表示し、ユーザの押下によって読み取り特性情報収集モードの起動を行うことができる。また、適宜の時期に読み取り特性情報収集モードが自動で起動されるようにしてもよい。出力情報の設定（ステップｓ３２）後、チャート画像の読み取りを実施し（ステップｓ３３）、チャート画像の読取結果に基づいて特性情報を算出し保持し（ステップｓ３４）、読み取り特性情報収集モードを終了する。なお、チャート画像の読み取り実施は１回だけでもよく、また、複数回行うようにしてもよい。
【００８４】
出力情報の設定画面１４６０の例を図１４に示す。図１４では、出力設定として、読み込みを行うチャートの紙種、坪量、紙長の設定が可能となっている。この例では、紙種設定欄１４６１において、紙種として上質紙が選択され、坪量設定欄１４６２において、６２〜７４ｇ／ｍ２の坪量が選択され、紙長設定欄１４６３において、２９７ｃｍの紙長が選択されている。なお、設定画面１４６０では、画面の下部に、チャートの読み込みを開始するための読み込み開始釦１４６４および元画面に戻るための戻る釦１４６５が表示されている。戻る釦１４６５を押下することで収集モードが終了する。なお、読み込み開始釦１４６４を複数回行うことで読み取り画像を複数取得するようにしてもよい。
なお、本発明としては、出力設定の項目を上記項目に限定せず、他の項目についても設定可能としてもよく、例えば、紙の幅を設定可能としてもよい。
【００８５】
チャートの読み取りは、図１４における読み込み開始釦１４６４を押下することにより実行される。
チャート画像の読み取り後は、読み取ったチャート画像から特性情報を算出し、算出した特性情報を保持する。ステップｓ３３において、複数回の読み取りを行った場合は、複数の読取画像から算出した特性値の平均値などを読み取り特性情報とすることができる
。特性情報は、不揮発メモリー１１５やＨＤＤ１２７等の記憶部に保存することができる。
【００８６】
図１５は、特性情報収集モードで使用されるチャート画像の例を示しており、図１６は、チャート画像を読み取って取得した読み取り画像の例を示している。また、図１７は、図１６の読み取り画像から読み取り特性情報を取得する方法を説明する図である。
図１５では、用紙ＰＣ上に、用紙の端部において、用紙の搬送方向に連続する線Ｃ１と、搬送交差方向に連続する線Ｃ２とが形成されている。
この画像の読み取りを行った結果、図１６の読取画像ＩＭ３が取得されたものとする。図１６の読み取り画像では用紙の搬送方向に沿った線Ｃ１において、複数個所で歪みＹが生じている。
そこで、図１７に示すように、チャート画像を読み取った読取画像ＩＭ３から、特性情報として、歪みＹについて、紙先端からの歪み位置Ｘ１、歪みが現れる搬送方向周期Ｘ２、および歪み量Ｘ３を取得し、取得した特性情報を記憶部に保持する。読み取り特性情報は、チャート画像の出力設定に基づき、用紙の情報と関連付けて保持される。
保持される読み取り特性情報の例を表２に示す。
【００８７】
【表２】
2018207456.tif 000004
【００８８】
表２に示すように、読み取り特性情報として、用紙の情報（紙種・坪量・紙長）と、歪みの情報（紙先端からの歪み位置、歪みが現れる搬送方向周期、歪み量／片寄量）とが関連付けて保存される。複数回読み取った場合は平均値を用いてもよい。
上記動作により、画像読取部の読み取り特性情報を取得することができる。
【００８９】
読み取り特性情報では、歪みの情報の単位は統一されていなくてもよく、歪みの位置や歪み量が特定可能であればよい。単位としては、例えば、ｍｍ、ライン数、画素数等を用いることができる。
【００９０】
なお、上記動作では、チャート画像として、用紙の搬送方向および交差方向に連続した画像が形成された用紙の読み取りを行っているが、本発明としては、読み取り特性収集モードで使用する画像の種類は特に限定されるものではなく、読み取り画像の歪みが検出可能なものであればよい。例えば、白紙の用紙を使用して、用紙のエッジ位置に基づいて読み取り特性を取得してもよい。
【００９１】
次に、取得した読み取り特性情報を用いた補正動作について説明する。
図１８は、読み取り特性情報を用いて画像データの補正を行う動作手順を示すフローチャートに基づいて説明する。
まず、読み取り特性情報保持部から、読取画像の出力情報と一致する読み取り特性情報を読み出す（ステップｓ４１）。ここで、読取画像の出力情報とは、読み取りが行われる用紙の出力情報であり、例えば、用紙の紙種、坪量、紙長等である。
読取画像の出力情報の入手方法は特に限定されず、例えば、読み取りを行う前に、操作表示部１４０を通じて入力を行うようにしてもよい。なお、ジョブで形成された画像の読み取りを行う場合は、読取画像の出力情報は、ジョブの出力設定情報に相当する。この場合、出力情報は、入力されたジョブの情報から取得することができる。
【００９２】
次に、読み取り画像データの１ライン目を読み取り、黒から白に変化する画素数を検知して保存する（ステップｓ４２）。その後、次のラインを読み取り、同様に、変化する画素数を検知して保存し（ステップｓ４３）、読み取ったラインが最終ラインかを判定する（ステップｓ４４）。
【００９３】
読み取ったラインが最終ラインでない場合（ステップｓ４４、Ｎｏ）、ステップ４３に戻り、次のラインの読み取りを行い、変化点の画素数を検知して保存する。
読み取ったラインが最終ラインである場合（ステップｓ４４、Ｙｅｓ）、保存した変化点の画素数のうちで、最も多くのラインにおいて検知された画素数を紙エッジ画素数とする（ステップｓ４５）。
【００９４】
その後、読み取り特性情報から、補正対象外範囲と最大補正値とを算出する（ステップｓ４６）。ここでは、読み取り特性情報において、歪みが生じていなかった領域を補正対象外範囲とし、読み取り特性における歪みの量を最大補正値とする。これにより、補正の対象となる補正対象範囲が決定され、同時に、補正を行なう際の最大補正値が決定される。
図１９は、補正対象範囲Ｒの例を示している。ここでは、周期的に存在する領域が補正対象の領域となり、この範囲以外の領域では補正を行わない。
【００９５】
ステップｓ４６を終えると、１ライン目が補正対象範囲内かを判定する（ステップｓ４７）。
補正対象範囲内であった場合（ステップｓ４８、Ｙｅｓ）、このラインにおける黒から白への変化点の画素数と紙エッジ画素数とを比較し（ステップｓ４９）、変化点の画素数と紙エッジ画素数とが一致するか判定する（ステップｓ５０）。
一致する場合（ステップｓ５０、Ｙｅｓ）、誤差がないと判断し、ステップｓ５４へ進み,最終ラインか判定する。
一致しない場合（ステップｓ５０、Ｎｏ）、変化点の画素数と紙エッジの画素数との差分を誤差として、誤差が最大補正値の範囲内であるか判定する（ステップｓ５１）。誤差が最大補正値の範囲内である場合（ステップｓ５１、Ｙｅｓ）、誤差の画素数分で画像をシフトする（ステップｓ５２）。誤差が最大補正値の範囲内でない場合（ステップｓ５１、Ｎｏ）、最大補正値の画素数分で画像をシフトする（ステップｓ５３）。ステップｓ５２またはステップｓ５３の後、ステップｓ５４へ進み、対象のラインが最終ラインであるか判定する（ステップｓ５４）。
ステップｓ５４で最終ラインでない場合（ステップｓ５４、Ｎｏ）、次のラインについて、補正対象範囲内であるか判定し（ステップｓ５５）、その後、ステップｓ４８へ戻り、範囲内であるかの結果によって上記手順を繰り返す。ステップｓ５４で最終ラインであると判定された場合（ステップｓ５４、Ｙｅｓ）、手順を終了する。
【００９６】
図２０は、前述した図９、および表１の例において、上記のフローを用いて歪みの補正を行った場合を示している。
表１に示す変化点の画素数を有していた場合、紙エッジの位置は５画素と決定される。そして、ライン１〜ライン９９７に関しては、変化点の画素数（５画素）とエッジ位置の画素数（５画素）との誤差がないと判定され、ライン９９８では変化点（１５画素）とエッジ位置（５画素）の画素数との誤差が１０画素であり、ライン９９９では１５画素、ライン１０００では１７画素であると判定される。
このため、ライン９９８〜１０００に関して、補正対象範囲であるかの判定および、補正値が最大補正値以下であるかの判定が行われる。ここで、読み取り特性情報において、ライン９９８〜１０００が補正対象範囲内であるが、最大補正値が１０画素である場合、ライン９９９およびライン１０００では１０画素分のみシフトされる
したがって、ライン９９９およびライン１０００では、黒から白への変化点とエッジ位置との誤差が依然として存在しているが、これは実際に存在する歪みとして表示される。
これにより、読み取り特性を考慮した補正が行われてプレビュー画像が表示されるため、実際に存在する歪みを除去せずにプレビュー画像の補正を行うことが可能となる。
【００９７】
以上、本発明について上記実施形態に基づいて説明したが、本発明の範囲は上記の説明の内容に限定されるものではなく、本発明の範囲を逸脱しない限り上記実施形態に対する適宜の変更が可能である。
【符号の説明】
【００９８】
１  画像形成装置
３  ネットワーク
４  外部装置
１０  装置本体
１１  搬送路
１２  給紙部
１３  自動原稿給送部
１５  画像形成部
２５  画像読取部
１００  制御部
１１３  制御ＣＰＵ
１３０  スキャナー部
１４０  操作表示部
１５０  プリンター部
１４００  プレビュー表示画面
１４１０  プレビュー表示画面
１４２０  プレビュー設定画面
１４３０  プレビュー拡大表示画面
１４４０  プレビュー拡大表示画面
１４５０  プレビュー表示画面
ＩＭ１、ＩＭ２、ＩＭ３  読み取り画像
Ｙ  歪み
【図１】
2018207456.tif 000005
【図２】
2018207456.tif 000006
【図３】
2018207456.tif 000007
【図４】
2018207456.tif 000008
【図５】
2018207456.tif 000009
【図６】
2018207456.tif 000010
【図７】
2018207456.tif 000011
【図８】
2018207456.tif 000012
【図９】
2018207456.tif 000013
【図１０】
2018207456.tif 000014
【図１１】
2018207456.tif 000015
【図１２】
2018207456.tif 000016
【図１３】
2018207456.tif 000017
【図１４】
2018207456.tif 000018
【図１５】
2018207456.tif 000019
【図１６】
2018207456.tif 000020
【図１７】
2018207456.tif 000021
【図１８】
2018207456.tif 000022
【図１９】
2018207456.tif 000023
【図２０】
2018207456.tif 000024